(57)【要約】【課題】焦点距離が異なる複数の光学系を有する撮像装置において、簡単な構成で画像に生じるノイズを低減する。【解決手段】カメラ１は互いに焦点距離が異なる複数の光学系を有する撮像光学群２を備え、光学系の各々に対応して配置された撮像素子は光学像に応じた画像を出力する。表示部１４には当該画像が選択的に表示され、少なくとも撮像素子は放熱部材として用いられる筐体部２１に収納される。複数の撮像素子のうちの１つが表示部によって画像が優先的に表示される優先表示撮像素子とされ、優先表示撮像素子から筐体部までの熱抵抗値が、優先表示撮像素子以外のその他の撮像素子から筐体部までの熱抵抗値よりも低くされる。【選択図】図１
2015050647.tif 000002
【特許請求の範囲】
【請求項１】
互いに焦点距離が異なる複数の光学系を有する撮像光学群を備え、前記光学系を介して撮影を行う撮像装置であって、
前記光学系の各々に対応して配置され、前記光学系を介して光学像を受けて当該光学像に応じた画像を出力する複数の撮像素子と、
前記画像を選択的に表示する画像表示手段と、
少なくとも前記撮像素子を収納し、前記撮像素子で生じた熱を放熱する放熱部材として用いられる筐体部と、
前記複数の撮像素子のうちの１つが前記画像表示手段によって画像が優先的に表示される優先表示撮像素子とされて、前記優先表示撮像素子から前記筐体部までの熱抵抗値を、前記優先表示撮像素子以外のその他の撮像素子から前記筐体部までの熱抵抗値よりも低くする熱抵抗値低減手段と、
を有することを特徴とする撮像装置。
【請求項２】
前記熱抵抗値低減手段は、前記優先表示撮像素子と前記筐体部とを接続する熱伝導部材を備えることを特徴とする請求項１に記載の撮像装置。
【請求項３】
前記熱抵抗値低減手段は、前記複数の撮像素子をそれぞれ前記筐体部に接続する複数の熱伝導部材を備えており、
前記複数の熱伝統部材のうち前記優先表示撮像素子に接続された熱伝導部材は、前記その他の撮像素子に接続された熱伝導部材よりも熱伝導率が高い材料であるか又はその伝熱方向の面積が大きいことを特徴とする請求項１に記載の撮像装置。
【請求項４】
前記熱抵抗値低減手段は、前記優先表示撮像素子を前記その他の撮像素子よりも前記筐体部の内壁面に近い位置に位置づけて、前記優先表示撮像素子から前記筐体部までの熱抵抗値を、前記優先表示撮像素子以外のその他の撮像素子から前記筐体部までの熱抵抗値よりも低くすることを特徴とする請求項１〜３のいずれか１項に記載の撮像装置。
【請求項５】
前記優先表示撮像素子に対応する光学系は、前記その他の撮像素子に対応する光学系よりもその焦点距離が短いことを特徴とする請求項１〜４のいずれか１項に記載の撮像装置。
【請求項６】
前記その他の撮像素子の１つが選択撮像素子とされて当該選択撮像素子で得られた画像を前記画像表示手段に表示することが選択されると、前記選択撮像素子の状態に基づいて前記選択撮像素子で得られた画像を前記画像表示手段に表示するか又は前記優先表示撮像素子で得られた画像を拡大して前記画像表示手段に表示するかを制御する制御手段を有することを特徴とする請求項１〜５のいずれか１項に記載の撮像装置。
【請求項７】
前記制御手段は、前記選択撮像素子の状態として、前記選択撮像素子で得られた画像が所定の時間以上表示されると、前記優先表示撮像素子で得られた画像を拡大して前記画像表示手段に表示する表示切り替えを行うことを特徴とする請求項６に記載の撮像装置。
【請求項８】
前記撮像素子の温度を検出する温度検出手段を備え、
前記制御手段は、前記選択撮像素子の状態として、前記温度検出手段によって検出された前記選択撮像素子の温度が所定の温度以上となると、前記優先表示撮像素子で得られた画像を拡大して前記画像表示手段に表示する表示切り替えを行うことを特徴とする請求項６に記載の撮像装置。
【請求項９】
互いに焦点距離が異なる複数の光学系を有する撮像光学群と、前記光学系の各々に対応して配置され、前記光学系を介して光学像を受けて当該光学像に応じた画像を出力する複数の撮像素子と、前記画像を選択的に表示する画像表示手段と、少なくとも前記撮像素子を収納し、前記撮像素子で生じた熱を放熱する放熱部材として用いられる筐体部と、前記複数の撮像素子のうちの１つが前記画像表示手段によって画像が優先的に表示される優先表示撮像素子として、前記優先表示撮像素子から前記筐体部までの熱抵抗値を前記優先表示撮像素子以外のその他の撮像素子から前記筐体部までの熱抵抗値よりも低くする熱抵抗値低減手段とを有する撮像装置の制御方法であって、
前記その他の撮像素子の１つを選択撮像素子として当該選択撮像素子で得られた画像を前記画像表示手段に表示することを選択する選択ステップと、
前記選択撮像素子の状態に基づいて前記選択撮像素子で得られた画像を前記画像表示手段に表示するか又は前記優先表示撮像素子で得られた画像を拡大して前記画像表示手段に表示するかを制御する制御ステップと、
を有することを特徴とする制御方法。
【請求項１０】
互いに焦点距離が異なる複数の光学系を有する撮像光学群と、前記光学系の各々に対応して配置され、前記光学系を介して光学像を受けて当該光学像に応じた画像を出力する複数の撮像素子と、前記画像を選択的に表示する画像表示手段と、少なくとも前記撮像素子を収納し、前記撮像素子で生じた熱を放熱する放熱部材として用いられる筐体部と、前記複数の撮像素子のうちの１つが前記画像表示手段によって画像が優先的に表示される優先表示撮像素子として、前記優先表示撮像素子から前記筐体部までの熱抵抗値を前記優先表示撮像素子以外のその他の撮像素子から前記筐体部までの熱抵抗値よりも低くする熱抵抗値低減手段とを有する撮像装置で用いられる制御プログラムであって、
前記撮像装置が備えるコンピュータに、
前記その他の撮像素子の１つを選択撮像素子として当該選択撮像素子で得られた画像を前記画像表示手段に表示することを選択する選択ステップと、
前記選択撮像素子の状態に基づいて前記選択撮像素子で得られた画像を前記画像表示手段に表示するか又は前記優先表示撮像素子で得られた画像を拡大して前記画像表示手段に表示するかを制御する制御ステップと、
を実行することを特徴とする制御プログラム。
【発明の詳細な説明】
【技術分野】
【０００１】
本発明は、撮像装置、その制御方法、および制御プログラムに関し、特に、複数の焦点距離の光学系を備えて、互いに異なる焦点距離で複数の画像を撮影することが可能な撮像装置に関する。
【背景技術】
【０００２】
一般に、複数の焦点距離の光学系を備えて、互いに異なる焦点距離で複数の画像を撮影することが可能な撮像装置が知られており、例えば、互いに画角の異なる短焦点レンズおよび長焦点レンズによって被写体の同一の部分を含むように撮像して複数の画像を得る複眼撮像装置がある（特許文献１参照）。ここでは、短焦点レンズに対応する撮像素子（第１の撮像素子）によって広角の画像（第１の画像）を得るとともに、長焦点レンズに対応する撮像素子（第２の撮像素子によって望遠の画像（第２の画像）を得ている。
【０００３】
このような複眼撮像装置においては、撮影動作においてフレーミングの際には、短焦点レンズで得られた第１の画像を優先的に表示部に表示するようにすれば、ユーザは長焦点レンズにおける撮影範囲も同時に観察することができる。
【先行技術文献】
【特許文献】
【０００４】
【特許文献１】特開２００５−３０３６９４号公報
【発明の概要】
【発明が解決しようとする課題】
【０００５】
しかしながら、上述の特許文献１に記載の複眼撮像装置においては、フレーミングの際に、第１の画像を表示部に表示すると、第１の撮像素子は第２の撮像素子よりも駆動される時間が多くなって、不可避的に温度が上昇する。その結果、第１の撮像素子で得られた第１の画像においては熱ノイズが生じる。
【０００６】
また、第１の画像および第２の画像を再生表示した際、第１の画像のみがノイズによる劣化が顕著になり、第１の画像および第２の画像を合成して一枚の合成画像を生成する際には、第１の画像におけるノイズの影響によって合成画像は劣化してしまう。
【０００７】
一方、撮像素子の駆動に伴う発熱に起因する熱ノイズを低減するため、撮像素子に熱伝導率の高い熱伝導材を接続することがある。ところが、一般に熱伝導部材は高価であって、複数の光学系毎に撮像素子を有する撮像装置において、全ての撮像素子に熱伝導部材を配すると、コストアップとなるばかりでなくスペース上の制約がある。
【０００８】
従って、本発明の目的は、焦点距離が異なる複数の光学系を有する撮像装置において、簡単な構成で画像に生じるノイズを低減することができる撮像装置、その制御方法、および制御プログラムを提供することにある。
【課題を解決するための手段】
【０００９】
上記の目的を達成するため、本発明による撮像装置は、互いに焦点距離が異なる複数の光学系を有する撮像光学群を備え、前記光学系を介して撮影を行う撮像装置であって、前記光学系の各々に対応して配置され、前記光学系を介して光学像を受けて当該光学像に応じた画像を出力する複数の撮像素子と、前記画像を選択的に表示する画像表示手段と、少なくとも前記撮像素子を収納し、前記撮像素子で生じた熱を放熱する放熱部材として用いられる筐体部と、前記複数の撮像素子のうちの１つが前記画像表示手段によって画像が優先的に表示される優先表示撮像素子とされて、前記優先表示撮像素子から前記筐体部までの熱抵抗値を、前記優先表示撮像素子以外のその他の撮像素子から前記筐体部までの熱抵抗値よりも低くする熱抵抗値低減手段と、を有することを特徴とする。
【発明の効果】
【００１０】
本発明によれば、複数の撮像素子のうちの１つが画像表示手段によって画像が優先的に表示される優先表示撮像素子とされ、優先表示撮像素子から筐体部までの熱抵抗値を、優先表示撮像素子以外のその他の撮像素子から筐体部までの熱抵抗値よりも低くするようにしたので、ライブビュー表示の際などに用いられる優先表示撮像素子の駆動時間が長くなっても、簡単な構成で画像に生じるノイズを低減することができる。
【図面の簡単な説明】
【００１１】
【図１】本発明の第１の実施形態による撮像装置の一例についてその外観を示す図であり、（ａ）は正面側からみた図、（ｂ）は背面側からみた図、（ｃ）は（ａ）に示す光学系におけるレンズの配置を拡大して示す図、（ｄ）は（ａ）のα−α線に沿って破断した断面図である。
【図２】図１に示すカメラの構成の一例を示すブロック図である。
【図３】図１に示すカメラによる撮影の結果得られる画像およびその表示を説明するための図であり、（ａ）は撮影動作を行う際におけるフレーミング中に表示部に表示される画像の一例を示す図、（ｂ）は図１（ｃ）に示すグループＡのレンズに係る光学系で撮影した画像を示す図、（ｃ）は図１（ｃ）に示すグループＢのレンズに係る光学系で撮影した画像を示す図、（ｄ）は図１（ｃ）に示すグループＣのレンズに係る光学系で撮影した画像を示す図、（ｅ）は図１（ｃ）に示すグループＤのレンズに係る光学系で撮影した画像を示す図である。
【図４】図１に示すカメラにおける熱抵抗値および熱回路を説明するための図であり、（ａ）は発熱源が存在する際の簡易モデルを示す図、（ｂ）は図１に示すカメラにおける熱回路の簡易モデルを示す図である。
【図５】図１に示す優先表示撮像素子から筐体部までの熱抵抗値が低いカメラの一例を示す斜視図である。
【図６】本発明の第２の実施形態によるカメラで行われる撮影動作を説明するためのフローチャートである。
【図７】本発明の第３の実施形態によるカメラの一例を示す断面図である。
【図８】図７に示すカメラにおける制御系の一例を説明するためのブロック図である。
【発明を実施するための形態】
【００１２】
以下、本発明の実施の形態による撮像装置の一例について図面を参照して説明する。
【００１３】
［第１の実施形態］
図１は、本発明の第１の実施形態による撮像装置の一例についてその外観を示す図である。そして、図１（ａ）は正面側からみた図であり、図１（ｂ）は背面側からみた図である。また、図１（ｃ）は図１（ａ）に示す光学系におけるレンズの配置を拡大して示す図であり、図１（ｄ）は図１（ａ）のα−α線に沿って破断した断面図である。
【００１４】
図示の撮像装置は所謂多眼光学群を備えるデジタルカメラ（以下単にカメラと呼ぶ）である。カメラ１の筐体正面には複数のレンズを備える多眼光学群である光学群（撮像光学系又は撮像光学群とも呼ぶ）２が配置され、カメラ筐体の上面には撮影命令を行うためのレリーズ釦１６が配置されている（図１（ａ）参照）。
【００１５】
カメラ１の背面側には、撮影の際の設定メニューおよび撮影後の画像を表示するための表示部１４が配置されるとともに、撮影の際の設定メニューおよび表示された画像に関する操作を行うための画面操作部１７が配置されている（図１（ｂ）参照）。
【００１６】
図１（ｃ）に示すように、光学群２は横方向４個、そして、縦方向４個の合計４×４＝１６個のレンズ３１１〜３１４、３２１〜３２４、３３１〜３３４、および３４１〜３４４を有している。これらレンズ３１１〜３１４、３２１〜３２４、３３１〜３３４、および３４１〜３４４はＡ〜Ｄのグループに分けられている。Ａ〜Ｄグループでは互いに焦点距離が異なり、同一のグループでは同一の焦点距離を有している。
【００１７】
Ａグループのレンズ３１１〜３１４はその焦点距離が最も短いレンズであり（第１の焦点距離）、Ｂグループのレンズ３２１〜３２４はその焦点距離がＡグループよりも長い焦点距離（第２の焦点距離）を有している。そして、Ｃグループのレンズ３３１〜３３４はその焦点距離がＢグループよりも長い焦点距離（第３の焦点距離）を有している。さらに、Ｄグループのレンズ３４１〜３４４は焦点距離が最も長いレンズである（第４の焦点距離）。
【００１８】
図１（ｄ）において、レンズ３１２、３２４、３３２、および３４３の後方には、それぞれ撮像素子４１２、４２４、４３２、および４４３が配置されている。撮像素子４１２、４２４、４３２、および４４３の各々は、光電変換部４ａ、光学フィルタ４ｂ、および撮像素子電子基板４ｄを備えている。
【００１９】
光電変換部４ａはパッケージ部４ｃに収納され、撮像素子電子基板４ｃにはＡ／Ｄ変換器などの電子部品が実装されている。そして、レンズ３１２、３２４、３３２、および３４３を通過した光学像は光学フィルタ４ｂを介して光電変換部４ａで受光される。光電変換部４ａは光学像に応じたアナログ信号を出力して、前述のように、当該アナログ信号はＡ／Ｄ変換器によってデジタル信号に変換される。
【００２０】
撮像素子電子回路部４ｄは、可撓性を有するフレキシブル基板２３を介してメイン電子基板２２に電気的に接続される。さらに、最も焦点距離の短いレンズ３１２に対応する撮像素子４１２にのみが熱伝導部材２４の一端に接続されており、熱伝導部材２４の他端はメイン電子基板２２および撮像素子４１２、４２４、４３２、および４４３などを収納する筐体部２１の内壁に接続されている。ここでは、筐体部２１はカメラ１の筐体である。
【００２１】
筐体部２１はカメラ１で発生した熱を外部に放熱する放熱部材であって、熱伝導率および熱放射率が高い素材、例えば、アルミで形成されている。前述のように、熱伝導部材２４を撮像素子４１２のみ接続することによって、撮像素子４１２から筐体部２１までの熱抵抗値を、撮像素子４２４、４３２、および４４３から筐体部２１までの熱抵抗値よりも低くする。
【００２２】
図２は、図１に示すカメラの構成の一例を示すブロック図である。
【００２３】
なお、図２に示す例では、図１に示す撮像光学系２のうち２つの光学系のみが示されている。つまり、図示の例では、説明の便宜上、光学系３ａおよび３ｂのみが示されているが、ここでは、図１（ｃ）に示すレンズ３１１〜３１４、３２１〜３２４、３３１〜３３４、および３４１〜３４４に対応する光学系が備えられている。つまり、１６個の光学系が備えられている。そして、これら１６個の光学系の各々は光学系３ａ又は３ｂと同様の構成を有している。
【００２４】
光学系３ａおよび３ｂはそれぞれフォーカスレンズ６ａおよび６ｂが備えられ、これらフォーカスレンズ６ａおよび６ｂはレンズ駆動部５によってそれぞれ一点鎖線で示す光軸に沿って駆動される。光学系３ａおよび３ｂの後段には撮像素子４００ａおよび４００ｂが配置されている。なお、撮像素子４００ａおよび４００ｂの各々は、図１（ｄ）に示す撮像素子４１２、４２４、４３２、および４４３の各々と同様の構成を有しており、説明の便宜上、ここでは、撮像素子を参照番号４００ａおよび４００ｂで示している。また、ここでは、光学フィルタ４ｂなどは省略されており、Ａ／Ｄ変換器が参照番号４ｅで示されている。
【００２５】
前述のように、光学系３ａおよび３ｂを介して入射した被写体像（光学像）はそれぞれ撮像素子４００ａおよび４００ｂに結像する。そして、撮像素子４００ａおよび４００ｂはそれぞれ光学像に応じたデジタル信号（画像データ）を出力する。以下の説明では、撮像素子４００ａの出力である画像データを第１の画像データと呼び、撮像素子４００ｂの出力である画像データを第２の画像データと呼ぶ。
【００２６】
図示のカメラ１は、さらに、カメラシステム制御部１１、画像処理部１２、メモリ部１３、表示部１４、および操作検出部１５を有している。カメラ１では、光学系３ａおよび３ｂと撮像素子４００ａおよび４００ｂとによって撮像系が構成され、画像処理部１２によって画像処理系が構成される。そして、メモリ部１３および表示部１４によって記録再生系が構成され、カメラシステム制御部１１、操作検出部１５、およびレンズ駆動部５によって制御系が構成される。
【００２７】
なお、図１（ｄ）に示すメイン電子基板２２には少なくともカメラシステム制御部１１および画像処理部１２が搭載されている。また、図示はしないが、画像処理部１２は、ホワイトバランス回路、ガンマ補正回路、および補間演算回路などを有しており、前述の第１および第２の画像データを受けて記録用の画像データを生成する。
【００２８】
メモリ部１３は記録部に加えて画像の記録に必要な処理回路を備えている。そして、メモリ部１３は記録部に画像データを記録するとともに、処理回路によって表示部１４に出力する表示用画像を生成して保存する。ここでは、第１および第２の画像データを画像処理した結果得られる画像データをそれぞれ第１および第２の処理済み画像データと呼ぶ。
【００２９】
なお、メモリ部１３は、予め定められた記録方式を用いて画像（静止画像）、動画、および音声などの圧縮処理を行ってこれら静止画像、動画、および音声の記録を行う。図２に示すカメラ１においては、音声の記録に係るブロックは省略されている。
【００３０】
カメラシステム制御部１１はカメラ１全体の制御を司る。そして、カメラシステム制御部１１は外部操作（つまり、ユーザ操作）に応じて撮像系、画像処理系、および記録再生系を制御する。
【００３１】
例えば、図１（ａ）に示すレリーズ釦１６の押下を操作検出部１５が検出すると、カメラシステム制御部１１は撮像素子４００ａおよび４００ｂを駆動制御するとともに、画像処理部１２の動作およびメモリ部１３における圧縮処理などを制御する。さらに、さらに、カメラシステム制御部１１はメモリ部１３から読み出した表示用画像を表示部１４に表示制御するとともに、撮影に係る各種情報を表示部１４に表示制御する。
【００３２】
なお、ここでは、静止画の撮影を本撮影と呼ぶ。また、カメラシステム制御部１１は撮像素子４００ａおよび４００ｂで得られた画像を選択的に表示部１４に表示する。
【００３３】
ここで、前述の制御系による光学系３ａおよび３ｂの調整について説明する。
【００３４】
図示のように、カメラシステム制御部１１には画像処理部１２が接続されており、カメラシステム制御部１１は第１および第２の処理済み画像データに応じて光学系３ａおよび３ｂにおける焦点位置をそれぞれ第１および第２の焦点検出結果として検出する。焦点検出の手法については後述する。
【００３５】
カメラシステム制御部１１は第１および第２の焦点検出結果に基づいてレンズ駆動部５を制御して、フォーカスレンズ６ａおよび６ｂを光軸に沿って駆動して光学系３ａおよび３ｂの焦点位置を調整する。
【００３６】
これによって、フォーカスレンズ６ａおよび６ｂは、撮像素子４００ａおよび４００ｂの撮像面に被写体像を結像する。ここでは、被写体像が撮像素子４００ａおよび４００ｂの撮像面に結像された状態を合焦状態にあると呼ぶ。
【００３７】
図３は、図１に示すカメラによる撮影の結果得られる画像およびその表示を説明するための図である。そして、図３（ａ）は撮影動作を行う際におけるフレーミング中に表示部に表示される画像（ライブビュー画像）の一例を示す図であり、図３（ｂ）は図１（ｃ）に示すグループＡのレンズに係る光学系で撮影した画像を示す図である。また、図３（ｃ）は図１（ｃ）に示すグループＢのレンズに係る光学系で撮影した画像を示す図である。さらに、図３（ｄ）は図１（ｃ）に示すグループＣのレンズに係る光学系で撮影した画像を示す図であり、図３（ｅ）は図１（ｃ）に示すグループＤのレンズに係る光学系で撮影した画像を示す図である。
【００３８】
いま、図３（ａ）においては、グループＡのレンズに係る光学系（以下光学系Ａと呼ぶ）で撮影された画像が表示部１４にライブビュー（ＬＶ）表示されているとする。そして、表示部１４には光学系Ａで撮影した場合の画像の画角範囲が画角フレーム４０ａとして表示される。
【００３９】
この際、カメラシステム制御部１１はグループＢ、Ｃ、およびＤのレンズに係る光学系で撮影した際の画像の画角範囲をそれぞれ画角フレーム４０ｂ、４０ｃ、および４０ｄとして表示部１４に表示する。以下の説明では、グループＢ、Ｃ、およびＤのレンズに係る光学系をそれぞれ光学系Ｂ、Ｃ、およびＤと呼ぶ。
【００４０】
このようにして、最短の焦点距離である光学系Ａで得られた画像をＬＶ表示し、当該ＬＶ表示において、画角フレーム４０ａ〜４０ｄを表示すれば、ユーザは他の焦点距離の光学系Ｂ〜Ｄの画角範囲を確認して撮影を行うことができる。
【００４１】
図３（ａ）に示す例では、カメラシステム制御部１１は光学系Ｂ〜Ｄに係る画角フレーム４０ｂ〜４０ｄを表示部１４に表示するようにしたが、画角フレーム４０ｂ〜４０ｄの全てを表示しなくてもよい。さらには、カメラシステム制御部１１は画角フレーム４０ａの他に画角フレーム４０ｄのみを表示するなど、画角フレーム４０ａの他に一部の画角フレームのみを表示するようにしてもよい。
【００４２】
図３（ａ）に示す状態で撮影が行われると、光学系Ａ〜Ｄに対応する撮像素子４００ａ又は４００ｂの出力に応じて、画像処理部１２はそれぞれ図３（ｂ）〜図３（ｅ）に示す画像を生成する。図３（ｂ）〜図３（ｅ）に示す画像はそれぞれ光学系Ａ〜Ｄに対応する撮像素子６ａ又は６ｂの出力に応じて得られた画像であるので、電子ズームなどの拡大処理と異なって、各画像の解像度は同様であり、長焦点の画像についても高精細な画像が得られる。
【００４３】
前述したように、ＬＶ表示の際には、表示部１４には最も短い焦点距離の光学系Ａによって得られた画像とその画角フレーム４０ａが表示されるので、ユーザはその他の焦点距離の光学系Ｂ〜Ｄにおいて、どのようにフレーミングされた画像が得られるか視覚的に把握することができる。
【００４４】
なお、フレーミングの際に表示部１４に表示される画像を得る場合に用いられる撮像素子を優先表示撮像素子と呼ぶ。つまり、最も短い焦点距離の光学系Ａに対応する撮像素子４１２（図１（ｄ）参照）を優先表示撮像素子とする。
【００４５】
さらに、図１（ｃ）に示す例では、同一の焦点距離を有する光学系がそれぞれ４つ備えられているが、図３（ｂ）〜図３（ｅ）においてはそれぞれ４つの光学系のうち１つで得られた画像が示されている。
【００４６】
例えば、図３（ｂ）に示す画像は図１（ｃ）に示すレンズ３１１を介して撮影された画像であり、レンズ３１２、３１３、又は３１４を介して撮影してもほぼ同様の画像が得られる。但し、レンズの光軸位置がＸＹ平面上でシフトしているので、レンズ３１２〜３１４を介して撮影された画像はレンズ３１１を介して撮影された画像に対してそれぞれ微小量だけシフトする。
【００４７】
レンズ３１２、３１３、および３１４を介して得られた画像は、レンズ３１１を介して画像とともにメモリ部８に視差画像として記憶される。なお、同一の焦点距離の光学系で得られた４つの画像を加算合成してダイナミックレンジを拡大した画像を生成するようにしてもよい。さらには、加算合成処理の後に平均化してＳ／Ｎが改善された画像を生成するようにしてもよい。ここでは、光学系Ａについて説明したが、光学系Ｂ〜Ｄについても同様である。
【００４８】
このようにして、図示のカメラでは、一度の撮影で互いに焦点距離の異なる画像を同時に取得することができる。
【００４９】
ところで、上述のように、フレーミングに際に最も短い焦点距離の光学系Ａで得られた画像をＬＶ表示するので、この際には、光学系Ａに対応する優先表示撮像素子は露光動作のため駆動される。一方、その他の撮像素子は駆動されないか又は省電力モードで駆動されることになる。
【００５０】
その結果、優先表示撮像素子においては駆動に起因してその発熱量が大きくなって、画像に熱ノイズが生じることがある。そして、レリーズ釦１６を押下げて、設定撮影条件において撮影が行われると、本撮影の際の撮像素子の駆動時間は、ＬＶ表示時の駆動時間に対して非常に短いことを考慮すると、結果的に優先表示撮像素子は他の撮像素子に比べて大きな熱を発生することになる。
【００５１】
このような熱によるノイズを低減するため、ここでは、優先表示撮像素子で生じた熱を他の撮像素子で生じた熱よりも効率的に排熱する。このため、前述のように、優先表示撮像素子から放熱部材である筐体部２１までの熱抵抗値を、他の撮像素子における熱抵抗値よりも小さくする。
【００５２】
図４は、図１に示すカメラにおける熱抵抗値および熱回路を説明するための図である。そして、図４（ａ）は発熱源が存在する際の簡易モデルを示す図であり、図４（ｂ）は図１に示すカメラにおける熱回路の簡易モデルを示す図である。
【００５３】
図４（ａ）においては、筐体Ｃ（図１（ｄ）に示す筐体部２１）内の熱源Ｑ（つまり、撮像素子）が支持部材（図１（ｄ）には示さず）を介して筐体Ｃに接続されている。ここでは、熱源Ｑと筐体Ｃとの間では空気の流動があり、筐体Ｃは外気に触れている状態である。
【００５４】
図４（ａ）に示すＲ１は熱源Ｑから筐体Ｃまでの空気による対流と放射を含む熱抵抗を示し、Ｒ２は熱源Ｑが支持部材を介して筐体Ｃに伝導する経路における熱抵抗を示す。そして、Ｒ３は筐体Ｃから外気へ熱を排熱する際の対流と放射による熱抵抗を示す。ここで、熱抵抗Ｒ１、Ｒ２、およびＲ３の単位は［℃／Ｗ］である。
【００５５】
いま、駆動によって熱源Ｑが熱量Ｗ１［Ｗ］を発熱した際の温度をＴｑ［℃］とし、その際の筐体Ｃの温度をＴｃ［℃］、外気の温度をＴａ［℃］とすると、熱抵抗Ｒ１、Ｒ２、およびＲ３は次の式（１）および（２）の関係を満たす。
【００５６】
【数１】
2015050647.tif 000003
【００５７】
なお、熱抵抗Ｒｓは合成熱抵抗であり、次の式（３）で示される。
【００５８】
【数２】
2015050647.tif 000004
【００５９】
式（１）および式（２）から容易に理解できるように、熱抵抗値が小さいほど部品間の熱の移動量は大きくなるので、熱抵抗値を小さくすれば効率的に排熱を行うことができる。その結果、部品間の温度差を小さくすることができる。
【００６０】
続いて、図４（ｂ）を参照して、図１に示すカメラにおける熱回路について具体的に説明する。
【００６１】
図４（ｂ）では、熱源Ｑとして図１（ｄ）に示す優先表示撮像素子４１２およびその他の撮像素子を熱源とした際の熱回路が示されている。なお、図４（ｂ）においては、優先表示撮像素子４１２を除く他の撮像素子については筐体部２１との関係（接続関係）が同一であるので、ここでは撮像素子４３２のみが示されている。
【００６２】
図１（ｄ）に関連して説明したように、優先表示撮像素子４１２のみが支持部材に加えて熱伝統部材２４を介して筐体部２１に接続されている。従って、図４（ｂ）に示す熱回路では、優先表示撮像素子４１２と筐体２１との間には、空気の熱抵抗Ｒ１１と支持部材の熱抵抗Ｒ１２に加えて、熱伝導部材２４の熱抵抗Ｒ１３が並列に配置されることになる。なお、熱抵抗Ｒ１１、熱抵抗Ｒ１２、および熱抵抗Ｒ１３の合成熱抵抗をＲｓ１で示す。
【００６３】
一方、撮像素子４３２と筐体２１との間は空気の熱抵抗Ｒ２１および支持部材の熱抵抗Ｒ２２のみが存在し、ここでは、これら熱抵抗Ｒ２１およびＲ２２は並列に接続される。そして、熱抵抗Ｒ２１および熱抵抗Ｒ２２の合成熱抵抗Ｒｓ２で示す。
【００６４】
なお、ここでは、熱抵抗値Ｒ１２およびＲ２２は筐体部２１から撮像素子までの間に存在する複数の部材を含む熱抵抗である。また、ここでは、一般に、Ｒ１１＝Ｒ２１、Ｒ１２＝Ｒ２２と看做すことができる。
【００６５】
いま、図１に示すカメラ１が撮影動作中である場合に、優先表示撮像素子４１３から熱量Ｗｍ［Ｗ］、撮像素子４３２から熱量Ｗｏ［Ｗ］が発熱されたものとする。そして、優先表示撮像素子４１２の温度をＴｍ［℃］、撮像素子４３２の温度をＴｏ［℃］、筐体部２１の温度をＴｃ［℃］、外気の温度をＴａ［℃］とする。
【００６６】
前述のように、フレーミング中においては、優先表示撮像素子４１２は常に駆動されるので、発熱量Ｗｍは撮像素子４３２の発熱量Ｗｏよりも大幅に大きくなる。一方、優先表示撮像素子４１２と筐体部２１との間においては、合成熱抵抗Ｒｓ２に加えて、熱抵抗値Ｒ１３が並列に接続されているので、その合成熱抵抗Ｒｓ１は、合成熱抵抗Ｒｓ２よりも抵抗値が小さくなる。
【００６７】
熱伝導部材２４には、例えば、金属箔シート、グラファイトシート、又はシリコンシートなどの熱伝導率の高い材料が用いられており、このため、熱抵抗Ｒ１３は空気の熱抵抗Ｒ１１および支持部材の熱抵抗Ｒ１２よりも非常に低くすることができる。これによって、合成熱抵抗Ｒｓ１の抵抗値を合成熱抵抗Ｒｓ２の抵抗値よりも大幅に下げることができる。
【００６８】
このように、図示のカメラでは、撮像素子の発生する熱を外部に放熱する放熱部材である筐体部２１が備えられ、優先表示撮像素子４１２から筐体部２１までの熱抵抗値をその他の撮像素子から筐体部２１までの熱抵抗値よりも低くするようにしている。
【００６９】
その結果、優先表示撮像素子４１２で発生した熱量を筐体部２１に効率的に伝えることができ、発熱量Ｗｍが他の撮像素子における発熱量Ｗｏに比べて大きくても、優先表示撮像素子の温度Ｔｍを筐体部２１の温度Ｔｃに近づけることができる。つまり、その他の撮像素子の温度Ｔｏと比べて優先表示撮像素子の温度Ｔｍのみが極端に高くなることはない。
【００７０】
これによって、優先表示撮像素子４１２で得られた画像に熱ノイズが重畳されるという現象を回避することができ、熱ノイズに起因する画像の劣化を低減することができる。
【００７１】
ところで、図１（ｄ）に示す例では、熱伝導率の高い熱伝導部材２４を優先表示撮像素子４１２にのみ接続して、優先表示撮像素子４１２から筐体部２１までの合成熱抵抗Ｒｓ１を下げた。図示の例は一例であり、合成熱抵抗Ｒｓ１が合成熱抵抗Ｒｓ２以下となるのであれば、他の構成を採用してもよい。
【００７２】
例えば、その他の撮像素子の発熱量が優先表示撮像素子４１２ほどではないが大きい場合には、その他の撮像素子も熱伝導部材によって筐体部２１に接続するようにしてもよい。この際には、その他の撮像素子で用いられる熱伝導部材については、優先表示撮像素子４１２に用いる熱伝導部材よりも伝熱方向の面積（以下伝熱面積という）が小さくなるようにする。
【００７３】
熱伝導部材の熱抵抗値は伝熱面積に略比例するので、優先表示撮像素子４１２に用いる熱伝導部材の方が他の撮像素子で用いる熱伝導部材よりも伝熱面積が大きければ、合成熱抵抗値Ｒｓ１は、その他の撮像素子に係る合成熱抵抗値よりも小さくなる。つまり、全ての撮像素子に熱伝導部材を接続する際には、優先表示撮像素子４１２に接続された熱伝導部材のみの伝熱面積を大きくすれば、その他の撮像素子についても良好に排熱を行いつつ、熱伝導部材の配置に係るスペースの増大を抑えることができる。
【００７４】
さらには、優先表示撮像素子４１２に接続される熱伝導部材については、その他の撮像素子に接続される熱伝導部材よりもその熱伝導率が高い材料をもちいるようにしてもよい。一般に、熱伝導率の高い材料はそのコストが高いので、優先表示撮像素子４１２に接続される熱伝導部材についてはのみ伝熱面積又は材料を変更すればそのコストを抑えることができる。
【００７５】
なお、優先表示撮像素子４１２から筐体部２１までの熱抵抗値が、他の撮像素子から筐体部２１までの熱抵抗値よりも低くなれば、特に熱伝導部材を用いなくてもよい。
【００７６】
図５は、図１に示す優先表示撮像素子から筐体部までの熱抵抗値が低いカメラの一例を示す斜視図である。
【００７７】
なお、図５において、図１（ａ）に示すカメラ１と同一の構成要素については同一の参照番号を付して説明を省略する。
【００７８】
図５に示す例では、光学群（撮像光学系）２の配置について、優先表示撮像素子に対応するレンズを破線で囲まれた範囲５１に配置する。図示の範囲５１はカメラ１の前面部の中央付近の範囲５２に比べて、カメラ１の筐体部２１を規定する筐体上面部２１ａ、筐体左側面部２１ｂ、および筐体下面部２１ｃのいずれかに近い。
【００７９】
カメラ１の筐体部２１はカメラ１内の熱を放熱する放熱部材の役割を兼ねているので、筐体部２１の内壁面に近い位置にある範囲５１に優先表示撮像素子に対応するレンズを配置すれば、必然的に優先表示撮像素子も筐体部２１の内壁面に近い位置に配置されることになる。
【００８０】
この結果、優先表示撮像素子ら係る合成熱抵抗値を下げることができ、画像に重畳される熱ノイズを低減することができる。当然のことながら、上記の範囲５１に優先表示撮像素子に対応するレンズを配置し、さらに、優先表示撮像素子を熱伝導部材によってカメラ１の筐体部２１に接続して合成熱抵抗値を下げるようにしてもよい。
【００８１】
なお、第１の実施形態では、互いに焦点距離が異なる４つのレンズを四組、合計１６個のレンズを備えるようにしたが、互いに焦点距離が異なるレンズは少なくとも２つ以上あればよい。例えば、基準となる焦点距離のレンズを１つ備えるとともに、当該レンズよりも焦点距離の短いレンズを一つ備えるカメラであれば、いずれかのレンズに対応する撮像素子を優先表示撮像素子とすればよい。一方、５つ以上の異なる焦点距離のレンズを五組以上備えるようにしてもよい。
【００８２】
また、図２に示す例では、光学系毎に撮像素子が備えられているが、光学系と撮像素子との数は必ずしも一致しなくてもよい。例えば、結像位置に全ての光学系からの光学像を受光可能な撮像素子を配置する。そして、光電変換の後に画像データを光学系の各々の受光範囲に分割して取得して、これら画像データの各々を記録する。
【００８３】
この場合には、フレーミングの際にＬＶ表示を行う画像を出力する撮像素子の領域を優先表示撮像素子として、当該優先表示撮像素子のみの画像データを読み出すように撮像素子を駆動する。そして、優先表示撮像素子付近にのみ熱伝導部材を配置すれば、優先表示撮像素子から発生した熱を優先的かつ効率的に排熱することができ、熱ノイズによる画像の劣化を低減することができる。
【００８４】
このように、本発明の第１の実施形態では、互いに焦点距離が異なる複数の光学系を有するカメラにおいて、熱伝導部材によってフレーミングの際に用いられる（駆動される）優先表示撮像素子から放熱部材（ここでは筐体部）までの熱抵抗値を他の撮像素子よりも下げるようにしたので、簡易な構成で優先表示撮像素子の熱ノイズの影響を低減することができる。さらに、当該優先表示撮像素子の発熱による熱暴走などの誤作動を防ぐことができる。
【００８５】
［第２の実施形態］
続いて、本発明の第２の実施形態によるカメラの一例について説明する。なお、第２の実施形態によるカメラの構成は、図１および図２に示すカメラと同様であるので、ここでは説明を省略する。
【００８６】
第２の実施形態によるカメラでは、優先表示撮像素子以外の撮像素子で得られた画像を表示部１４に選択表示する際に、カメラシステム制御部１１は撮像素子の状態に応じて表示部１４における画像表示を制御する。例えば、優先表示撮像素子以外の撮像素子で得られた画像が所定の時間以上表示されると、カメラシステム制御部１１は表示部１４における画像表示を切り替えて（つまり、表示切り替えを行って）、優先表示撮像素子で得られた画像を拡大表示する。
【００８７】
ここでは、カメラシステム制御部１１は、優先表示撮像素子以外の撮像素子（以下その他の撮像素子と呼ぶ）における駆動時間を計測する。そして、カメラシステム制御部１１は、当該その他の撮像素子の温度が所定の温度になると推定される所定の時間（駆動時間）ｔ以上となると、その他の撮像素子の駆動を停止する。その後、カメラシステム制御部１１は最も焦点距離の短いレンズに対応する撮像素子である優先表示撮像素子を駆動する。
【００８８】
その後、カメラシステム制御部１１は優先表示撮像素子に対応するレンズの画像範囲と一致するように、優先表示撮像素子で得られた画像を拡大してＬＶ表示する。前述のように、優先表示撮像素子については、その他の撮像素子に比べてカメラ１の筐体部２１までの熱抵抗値が低いので、長時間の駆動を行ってもその温度を抑えることができる。この結果、その他の撮像素子で得られた画像が選択表示されている際においても、その他の撮像素子の駆動時間を規制できる結果、その他の撮像素子に熱伝導部材を接続することなく簡単な構成で熱ノイズによる画像の劣化を低減することができる。
【００８９】
図６は、本発明の第２の実施形態によるカメラで行われる撮影動作を説明するためのフローチャートである。なお、図示のフローチャートに係る処理は、カメラシステム制御部１１の制御下で行われる。
【００９０】
撮影動作を開始すると、ユーザは操作部（図示せず）を用いて、表示部１４にいずれの焦点距離のレンズによって得られる画像を表示部１４にＬＶ表示するかを選択する（ステップＳ１００１）。当該表示選択は操作検出部１５によって検出され、表示選択指令としてカメラシステム制御部１１に送られる。
【００９１】
カメラシステム制御部１１は、表示選択指令によって選択された焦点距離のレンズに対応する撮像素子（以下選択撮像素子と呼ぶ）を、画像処理部１２を介して駆動する（ステップＳ１００２）。そして、カメラシステム制御部１１は、画像処理部１２を介して画像データ（つまり、処理済み画像データ）を取り込む。画像データの取り込みの際には、例えば、３０ｆｐｓなどの所定のフレームレートで行われる。
【００９２】
カメラシステム制御部１１は選択撮像素子から得られた画像データに応じた画像像を表示部１４にＬＶ表示する（ステップＳ１００３）。そして、カメラシステム制御部１１は、表示選択指令に基づいて、現在ＬＶ表示中の画像が優先表示撮像素子から得られた画像、つまり、最も焦点距離の短い最短焦点レンズを介して得られた画像であるか否かを判定する（ステップＳ１００４）。
【００９３】
最短焦点レンズを介して得られた画像でないと（ステップＳ１００４において、ＮＯ）、カメラシステム制御部１１は選択撮像素子の駆動開始から所定の駆動時間（閾値時間ともいう）ｔが経過したか否かを判定する（ステップＳ１００５）。選択撮像素子の駆動開始から閾値時間ｔが経過していると（ステップＳ１００５において、ＹＥＳ）、カメラシステム制御部１１は、現在駆動中の選択撮像素子における温度上昇が大きいとする。そして、カメラシステム制御部１１は優先表示撮像素子、つまり、最短焦点レンズに対応する撮像素子の駆動を開始する（ステップＳ１００６）。一方、カメラシステム制御部１１は現在ＬＶ表示中の画像を得ている選択撮像素子の駆動を停止する。
【００９４】
続いて、カメラシステム制御部１１は、選択撮像素子で得られた画像の画像範囲と一致するように、優先表示撮像素子で得られた画像を表示部１４に拡大表示して、ＬＶ表示を切り替える（ステップＳ１００７）。つまり、カメラシステム制御部１１は、選択撮像素子が優先表示撮像素子でない場合に、選択撮像素子で得られた画像が所定の時間に亘って表示部１４に表示されると、優先表示撮像素子で得られた画像を拡大表示することになる。
【００９５】
次に、カメラシステム制御部１１は、レリーズ釦１６が押下されて操作検出部１５によって本撮影に係る撮影命令が検出されたかを否かを判定する（ステップＳ１００８）。撮影命令が検出されないと（ステップＳ１００８において、ＮＯ）、カメラシステム制御部１１はステップＳ１００４の処理に戻る。
【００９６】
一方、撮影命令が検出されると（ステップＳ１００８において、ＹＥＳ）、カメラシステム制御部１１はＬＶ表示のための所定のフレームレートによる撮像素子の駆動を停止して、予め設定された撮影条件において撮像素子の各々による本撮影を実行する（ステップＳ１００９）。そして、カメラシステム制御部１１は画像処理部１２によって本撮影で得られた取得された画像データをメモリ部１３に記録するとともに、選択撮像素子で得られた画像を表示部に再生表示する（ステップＳ１０１０）。その後、カメラシステム制御部１１は撮影動作を終了する。
【００９７】
なお、最短焦点レンズを介して得られた画像であると（ステップＳ１００４において、ＹＥＳ）、カメラシステム制御部１１はステップＳ１００８の処理に進む。同様に、選択撮像素子の駆動開始から閾値時間ｔが経過していないと（ステップＳ１００５において、ＮＯ）、カメラシステム制御部１１はステップＳ１００８の処理に進む。
【００９８】
このように、本発明の第２の実施形態では、優先表示撮像素子以外のその他の焦点距離のレンズに対応する撮像素子で得られた画像がＬＶ表示として選択された際に、当該選択された画像が所定の時間以上表示されると、その撮像素子の駆動を停止する。そして、最短焦点のレンズに対応する優先表示撮像素子を駆動して画像を得て、優先表示撮像素子で得られた画像を拡大してＬＶ表示する。
【００９９】
これによって、選択した焦点距離のレンズに応じた画像範囲が恰も変更されることなく表示されて、しかも撮像素子の駆動による発熱を低減しつつ効率的に排熱を行うことができる。
【０１００】
ところで、上記のステップＳ１００７においては、最短焦点レンズを介して得られた画像が拡大表示されるので、当該拡大画像は選択された撮像素子（つまり、選択された焦点距離のレンズを介して得られた画像）に比べて解像度が低下する。しかながら、一般的なカメラにおいては、表示部１４の解像度は撮像素子の解像度に比べて低いので、ユーザは解像度の低下による影響を受けることが極めて少ない。
【０１０１】
なお、上述の第２の実施形態では、優先表示撮像素子以外のその他の撮像素子が選択された際には、当該選択撮像素子の駆動時間が閾値時間ｔを超えたか否かに応じて温度が高くなったか否かを推定するようにしたが、駆動時間以外の別の手法によって温度上昇を推定するようにしてもよい。
【０１０２】
例えば、撮像素子の各々に温度センサ（温度検出手段）を配置して、カメラシステム制御部１１は温度センサによって各撮像素子の温度を監視する。温度センサによって選択撮像素子の温度が所定の温度以上であることが検出されと、カメラシステム制御部１１は選択撮像素子の駆動を停止する。そして、カメラシステム制御部１１は優先表示撮像素子を駆動して、優先表示撮像素子で得られた画像を拡大してＬＶ表示する。
【０１０３】
温度センサによって撮像素子の温度検出を行えば、撮像素子の駆動時間に応じて温度上昇を推定するよりも高精度に温度を知ることができるので、熱ノイズの発生を低減させる際の信頼性が向上する。
【０１０４】
さらには、優先表示撮像素子以外のその他の撮像素子がＬＶ表示用に駆動されて、所定の時間が経過するか又はその温度が所定の温度以上となると、駆動中の撮像素子を停止して、駆動中の撮像素子に対応するレンズの焦点距離よりも短いレンズに対応する撮像素子を駆動させるようにしてもよい。
【０１０５】
例えば、最も長焦点のレンズＤに対応する撮像素子が選択撮像素子として選択されている際、当該選択撮像素子の駆動時間が所定の時間を経過すると、選択撮像素子の駆動を停止する。そして、レンズＤよりも焦点距離の短いレンズＣに対応する撮像素子を駆動して、この撮像素子で得られた画像を拡大してＬＶ表示を行う。同様にして、レンズＣに対応する撮像素子の停止およびレンズＢに対応する撮像素子の駆動、そして、レンズＢに対応する撮像素子の停止およびレンズＡに対応する撮像素子（優先表示撮像素子）の駆動を順次行うようにしてもよい。
【０１０６】
［第３の実施形態］
続いて、本発明の第３の実施形態によるカメラの一例をついて説明する。
【０１０７】
図７は、本発明の第３の実施形態によるカメラの一例を示す断面図である。
【０１０８】
図示のカメラはカメラボディ１００を有しており、当該カメラボディ１００には撮影レンズユニット（以下単に撮影レンズと呼ぶ）１２０が装着されている。なお、この撮影レンズ１２０はカメラボディ１００に対して交換可能であり、撮影光学系１２１を備えている。さらに、カメラボディ１００には優先表示撮像素子を有するＬＶ表示用ユニット１３０が取り付けられている。
【０１０９】
カメラボディ１００を規定するカメラ筐体部１０２には、カメラ撮像素子１０１が配置されており、このカメラ撮像素子１０１は、撮影光学系１２１を介して入射する光学像の予定結像面付近に位置づけられている。カメラ撮像素子１０１は結像した光学像を光電変換した後、Ａ／Ｄ変換器（図示せず）によって光学像に応じたデジタル信号（画像データ）を出力する。
【０１１０】
カメラシステム制御部（図７には示さず）の制御下で、カメラ画像処理部（図７には示さず）は画像データを画像処理して処理済み画像データを得る。そして、カメラシステム制御部は処理済み画像データに応じた画像を背面表示部１０３およびファインダ表示部１０４に表示する。
【０１１１】
ファインダ表示部１０４に表示された画像は接眼光学系１０５を介して、ユーザの目に導かれる。カメラ筐体部１０２にはそれぞれレンズ接続部１０６およびアクセサリー接続部１０７によって撮影レンズ１２０およびＬＶ表示用ユニット１３０が電気的および機械的に接続されている。そして、アクセサリー接続部１０７は熱伝導率の大きい金属部品で機械的にカメラ筐体部１０２に接続されている。
【０１１２】
ＬＶ表示用ユニット１３０は、ＬＶ表示用ユニット筐体部１３４を有しており、ＬＶ表示用ユニット筐体部１３４にはＬＶ光学系１３１が配置されている。このＬＶ光学系１３１は撮影光学系１２１よりも焦点距離が短く、そして、その光軸が撮影光学系１２１の光軸と略平行である。
【０１１３】
図示のように、ＬＶ光学系１３１の後側にはＬＶ表示用撮像素子１３２が配置されている。このＬＶ表示用撮像素子１３２は、ＬＶ光学系１３１を介して入射する光学像の予定結像面付近に位置づけられている。ＬＶ表示撮像素子１３２は、結像した光学像を光電変換した後、Ａ／Ｄ変換器（図示せず）によって光学像に応じたデジタル信号（ＬＶ表示用画像データ）を出力する。そして、ＬＶ表示画像処理部（図７には示さず）はデジタル信号を画像処理して処理済みＬＶ表示用画像データを得る。
【０１１４】
当該ＬＶ表示用画像データはアクセサリー接続部１０７を介してカメラシステム制御部に送られる。図示のように、ＬＶ表示撮像素子１３２には、熱伝導部材１３３の一端が接続されており、熱伝導部材１３３の他端はＬＶ表示用ユニット筐体１３４およびアクセリー接続部１０７に接続されている。
【０１１５】
図８は、図７に示すカメラにおける制御系の一例を説明するためのブロック図である。
【０１１６】
図示のカメラは、撮像系、画像処理系、記録再生系、および制御系を有しており、撮像系は、撮影光学系１２１、ＬＶ光学系１３１、カメラ撮像素子１０１、およびＬＶ表示撮像素子１３２を含む。制御系は、カメラシステム制御部１１１、操作検出部１１４、レンズ駆動部１２２を含む。レンズ駆動部１２２は撮影光学系１２１に備えられたフォーカスレンズおよび絞り（図示せず）などを駆動して撮影光学系１２１における焦点距離および入射光量を調節する。
【０１１７】
撮像系は、被写体像（光学像）を撮影光学系１２１およびＬＶ光学系１３１を介してそれぞれカメラ撮像素子１０１およびＬＶ表示撮像素子１３２の撮像面に結像する光学処理系である。カメラ撮像素子１０１およびＬＶ表示撮像素子１３２の各々に備えられたＡ／Ｄ変換器は撮像素子電子基板（図示せず）に実装されている。
【０１１８】
カメラ画像処理部１１２およびＬＶ表示画像処理部１３５の各々には、ホワイトバランス回路、ガンマ補正回路、および補間演算回路などが備えられている。そして、前述のように、カメラ画像処理部１１２およびＬＶ表示画像処理部１３５は画像データおよびＬＶ表示用画像データについて画像処理を行って、処理済み画像データおよび処理済みＬＶ表示用画像データを得る。
【０１１９】
メモリ部１１３は記録部に加えて画像の記録に必要な処理回路を備えている。そして、メモリ部１１３は予め定められた記録方式によって記録部に処理済み画像データを記録する。
【０１２０】
図７および図８に示すカメラにおいては、撮影光学系１２１およびＬＶ光学系１３１が互いに異なる焦点距離を有する光学群に相当し、カメラ画像処理部１１２およびＬＶ表示画像処理部１３５が画像生成手段に相当する。そして、背面表示部１０３およびファインダ表示部１０４が画像表示手段に相当し、ＬＶ表示撮像素子１３２が優先表示撮像素子に相当する。
【０１２１】
ここで、図７および図８に示すカメラにおける撮影動作および表示について説明する。
【０１２２】
撮影動作を開始すると、カメラシステム制御部１１１はＬＶ表示画像処理部１３５を介してＬＶ表示撮像素子１３２を駆動する。これによって、ＬＶ表示撮像素子１３２で得られたＬＶ表示用画像データがＬＶ表示画像処理部１３５によって画像処理されて、処理済みＬＶ表示用画像データとしてアクセサリー接点部１０７を介してカメラシステム制御部１１１に送られる。そして、カメラシステム制御部１１１は処理済みＬＶ表示用画像データに応じた画像をファインダ表示部１０４に表示する。
【０１２３】
ユーザがフレーミングを行って、操作検出部１２４によって本撮影の撮影命令が検出されると、カメラシステム制御部１１１はカメラ画像処理部１１２を介してカメラ撮像素子１０１を駆動して本撮影を行う。本撮影によってカメラ撮像素子１０１で得られた画像データはカメラ画像処理部１１２によって画像処理されて、処理済み画像データとしてカメラシステム制御部１１１に送られる。そして、カメラシステム制御部１１１は処理済み画像データをメモリ部１１３に記録するとともに、処理済み画像データに応じた画像を背面表示部１０３又はファインダ表示部１０４に表示する。
【０１２４】
前述のように、撮影光学系１２１に対して、ＬＶ光学系１３１はその焦点距離が短いので、カメラ撮像素子１０１およびＬＶ表示撮像素子１３２を駆動した際に得られる画像はそれぞれ図３（ｅ）および図３（ｂ）に示す画像となる。つまり、フレーミング中において、背面表示部１０３又はファインダ表示部１０４にＬＶ表示撮像素子１３２で得られた画像を表示した際、カメラ撮像素子１０１で得られる画像の範囲も表示されることになる。
【０１２５】
撮影光学系１２１の画角範囲に出入りする動きを行う被写体をフレーミングする際には、ＬＶ光学系１３１によって撮影光学系１２１の画角外も表示されるので、ユーザは、フレーミングを行うことによって本撮影の撮影命令のタイミングを容易に調整することができる。
【０１２６】
本撮影のタイミングでのみ駆動されるカメラ撮像素子１０１に対して、ＬＶ表示撮像素子１３２はフレーミング動作中に連続的に駆動される。このため、ＬＶ表示撮像素子１３２はカメラ撮像素子１０１よりも発生する熱量が大きい。一方、前述のように、ＬＶ表示用撮像素子１３２には熱伝導部材１３３が接続されているので、熱伝導部材１３３およびアクセサリー接続部１０７からカメラ筐体部１０２までの熱抵抗値はカメラ撮像素子１０１に係る熱抵抗値よりも低くなる。
【０１２７】
その結果、ＬＶ表示撮像素子１３２で発生した熱は効率よく排熱されるので、ＬＶ表示撮像素子１３２の温度上昇を抑えることができる。これによって、簡易な構成で熱ノイズによる画像の劣化および熱暴走による誤作動を防ぐことができる。
【０１２８】
第３の実施形態では、優先表示撮像素子を含むＬＶ表示ユニット１３０をカメラボディ１００に接続するアクセサリーとして説明したが、ＬＶ表示ユニット１３０はカメラボディ１００に内蔵するようにしてもよい。
【０１２９】
上述の説明から明らかなように、図１および図２に示す例においては、カメラシステム制御部１１および表示部１４が画像表示手段として機能し、熱伝導部材２４が熱抵抗値低減手段として機能する。また、システム制御部１１は制御手段として機能する。
【０１３０】
以上、本発明について実施の形態に基づいて説明したが、本発明は、これらの実施の形態に限定されるものではなく、この発明の要旨を逸脱しない範囲の様々な形態も本発明に含まれる。
【０１３１】
例えば、上記の実施の形態の機能を制御方法として、この制御方法を撮像装置に実行させるようにすればよい。また、上述の実施の形態の機能を有するプログラムを制御プログラムとして、当該制御プログラムを撮像装置が備えるコンピュータに実行させるようにしてもよい。なお、制御プログラムは、例えば、コンピュータに読み取り可能な記録媒体に記録される。
【０１３２】
上記の制御方法および制御プログラムの各々は、少なくとも選択ステップおよび制御ステップを有している。
【０１３３】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【０１３４】
１  カメラ
２  光学群
５  レンズ駆動部
１１  カメラシステム制御部
１２  画像処理部
１３  メモリ部
１４  表示部
１５  操作検出部
１６  レリーズ釦
４００ａ，４００ｂ  撮像素子
【図１】
2015050647.tif 000005
【図２】
2015050647.tif 000006
【図３】
2015050647.tif 000007
【図４】
2015050647.tif 000008
【図５】
2015050647.tif 000009
【図６】
2015050647.tif 000010
【図７】
2015050647.tif 000011
【図８】
2015050647.tif 000012